(57)【特許請求の範囲】
【請求項１】
発射レールを有して、この発射レールの球発射基端部上に送られる遊技球を前記発射レールに沿い発射する球発射装置を備えて、前記発射レールに沿い発射された遊技球を前記発射レールへ戻すように循環させる遊技機において、
前記球発射装置にその直後に沿い設けられる球送り装置であってその球送り穴部から前記遊技球を前記発射レールの前記球発射基端部上に送る球送り装置と、
傾動手段とを備えており、
前記球発射装置において、前記発射レールは、その前記球発射基端部側の部位にて、前記発射レールのうちの前記球発射基端部側の部位にて傾動可能に形成したレール部を具備する可動部材として構成されており、
前記傾動手段は、
前記球発射装置の一部にその後方から前後方向に傾動可能に支持される傾動レバーと、
この傾動レバーを前記球発射装置の前記一部から後方へ傾動させるように付勢するばね部材と、
前記球発射装置の前記一部に形成してなる孔部に挿入可能に前記傾動レバーから前記孔部に向けて突出されるピン部材とを備えて、
前記発射レールがその前記レール部にて非傾動位置にあるとき前記ピン部材を前記ばね部材に抗して前記孔部に挿入して前記レール部を傾動不能に維持し、また、当該維持を、前記ばね部材によりそのばね作用でもって前記ピン部材を前記孔部から脱出させて解除することで前記レール部を傾動可能にしたとき、このレール部の傾動に伴い当該レール部に沿い前記発射レール上の遊技球を当該発射レールから排出するようにしたことを特徴とする遊技機。
【発明の詳細な説明】
【技術分野】
【０００１】
本発明は、予め封入してなる複数の遊技球を循環させて遊技するようにしたパチンコ遊技機その他の各種遊技機に関する。
【背景技術】
【０００２】
従来、この種の遊技機においては、下記特許文献１に記載の封入球循環式パチンコ遊技機が提案されている。この封入球循環式パチンコ遊技機は、予め封入してなる所定個数の遊技球を球受け皿から発射装置に送り、このように送られる各遊技球を発射装置により順次発射して遊技盤の盤面に沿い転動させた後、再び球受け皿に戻すべく循環させるようになっている。
【先行技術文献】
【特許文献】
【０００３】
【特許文献１】特開２００９−２７３５７６号公報
【特許文献２】特開平０７−３１３６６４号公報
【発明の概要】
【発明が解決しようとする課題】
【０００４】
ところで、上記パチンコ遊技機によれば、その遊技にあたり、所定個数の遊技球は、当該パチンコ遊技機内に封入されたまま、繰り返し循環されることとなる。このため、遊技球の循環回数が高くなると、各遊技球が汚れてしまう。
【０００５】
従って、近年、各遊技球を、適当なタイミング毎に、当該パチンコ遊技機から取り出して、これら各遊技球に対し、清掃等によるメインテナンスを施したいという要請が高くなっている。
【０００６】
これに対しては、上記特許文献２に記載のパチンコ機が提案されている。このパチンコ機においては、球抜き部材が、機枠の背面に設けた封入球樋の下流部位に設けられている。当該球抜き部材が、例えば、手動により回動されて、球抜き口を開放すると、封入球樋内の遊技球が球抜き口から機枠の背面側へ抜かれるようになっている。これにより、抜いた遊技球を清掃したり新たな遊技球と交換したりすることが可能となる。
【０００７】
しかしながら、球抜き部材が機枠の背面側にて封入球樋の下流部位に設けられる構成となっているから、当該構成が複雑になるという不具合を招く。
【０００８】
そこで、本発明は、以上のようなことに対処するため、発射レールを活用して、当該発射レールの構成に工夫を凝らし、簡単な構成にて、当該発射レールに送られる遊技球を必要に応じて排出するようにした遊技機を提供することを目的とする。
【課題を解決するための手段】
【００２１】
また、本発明に係る遊技機は、請求項１の記載によれば、
発射レール（５０ｂ）を有して、この発射レールの球発射基端部（５５ａ）上に送られる遊技球を上記発射レールに沿い発射する球発射装置（５０）を備えて、上記発射レールに沿い発射された遊技球を上記発射レールへ戻すように循環させるものである。
【００２２】
当該遊技機において、
球発射装置にその直後に沿い設けられる球送り装置であってその球送り穴部から上記遊技球を上記発射レールの上記球発射基端部上に送る球送り装置（７０）と、
傾動手段（５０ｃ）とを備えており、
球発射装置において、上記発射レールは、その上記球発射基端部側の部位にて、上記発射レールのうちの上記球発射基端部側の部位にて傾動可能に形成したレール部（５５）を具備する可動部材（５０ｃ）として構成されており、
傾動手段は、
球発射装置の一部にその後方から前後方向に傾動可能に支持される傾動レバー（５９ａ）と、
この傾動レバーを球発射装置の上記一部から後方へ傾動させるように付勢するばね部材（５９ｃ）と、
球発射装置の上記一部に形成してなる孔部（５１ｄ）に挿入可能に上記傾動レバーから上記孔部に向けて突出されるピン部材（５９ｄ）とを備えて、
上記発射レールがその上記レール部にて非傾動位置にあるとき上記ピン部材（５９ｄ）を上記ばね部材（５９ｃ）に抗して上記孔部（５１ｄ）に挿入して上記レール部を傾動不能に維持し、また、当該維持を、上記ばね部材によりそのばね作用でもって上記ピン部材を上記孔部から脱出させて解除することで上記レール部を傾動可能にしたとき、このレール部の傾動に伴い当該レール部に沿い上記発射レール上の遊技球を当該発射レールから排出するようにしたことを特徴とする。
【００２３】
これによれば、遊技機において、球送り装置が、球発射装置にその直後に沿い設けられており、当該球送り装置は、その球送り穴部から遊技球を発射レールの球発射基端部上に送るようになっている。
これに伴い、遊技球が球送り装置によりその球送り穴部から球発射装置の発射レールの球発射基端部上に送られると、当該遊技球が発射レールに沿い発射された後当該発射レールに戻るように循環する。
【００２４】
ここで、球送り装置が上述のように球発射装置にその直後に沿うように設けられているので、球送り装置によりその球送り穴部から発射レール上に送られる遊技球を、当該発射レール上において早期に安定させることができる。従って、球発射装置による発射レールに沿う遊技球の発射が良好になされ得る。
【００２５】
また、球発射装置において、発射レールが、その球発射基端部側の部位にて、発射レールのうちの球発射基端部側の部位にて傾動可能に形成したレール部を具備する可動部材として構成されている。
ここで、傾動手段は、
球発射装置の一部にその後方から前後方向に傾動可能に支持される傾動レバーと、この傾動レバーを球発射装置の上記一部から後方へ傾動させるように付勢するばね部材と、球発射装置の上記一部に形成してなる孔部に挿入可能に傾動レバーから孔部に向けて突出されるピン部材（５９ｄ）とを備えて、
発射レールがそのレール部にて非傾動位置にあるときピン部材をばね部材に抗して孔部に挿入してレール部を傾動不能に維持し、また、当該維持を、ばね部材によりそのばね作用でもってピン部材を孔部から脱出させて解除することでレール部を傾動可能にしたとき、このレール部の傾動に伴い当該レール部に沿い発射レール上の遊技球を当該発射レールから排出するようになっている。
【００２６】
従って、発射レールに沿い発射された遊技球を発射レールへ戻すように循環させる遊技機においても、可動部材が、発射レールの球発射基端部側の部位にて、傾動可能に形成したレール部を具備して、このレール部の傾動に伴い当該レール部に沿い発射レール上の遊技球を当該発射レールから排出するように構成されていることで、球発射装置の発射レール上に送られる遊技球に清掃や交換等のメインテナンスを施す場合には、発射レールがそのレール部にて非傾動位置にあるとき、ばね部材に抗して孔部に挿入されてレール部を傾動不能に維持する状態にあるピン部材を、傾動手段により、当該維持から、ばね部材によりそのばね作用でもってピン部材を孔部から脱出させて解除することでレール部を傾動可能にしたとき、このレール部の傾動に伴い当該レール部に沿い発射レール上の遊技球を、当該発射レールから排出することにより、ドル箱等に収容することができる。従って、ドル箱に収容した遊技球に対し上記メインテナンスを容易に施すことができる。
【００２７】
ここで、可動部材が、発射レールを利用して、当該発射レール上の遊技球を排出させるように発射レールの球発射基端部側の部位にて傾動可能にレール部を形成するように構成されるのみなので、当該構成を簡単にすることができる。
【発明の効果】
【００３５】
本発明によれば、球送り装置を球発射装置にその直後に沿い設けることで、当該球送り装置の球送り穴部から発射レール上に送る遊技球を当該発射レール上にて早期に安定させ得るとともに、このように球発射装置の発射レール上に送られる遊技球に清掃や交換等のメインテナンスを施すに当たっては、発射レール上に送られた遊技球を、傾動手段により傾動可能となった可動部材により、そのレール部の傾動にて排出してドル箱等に収容することで、ドル箱に収容した遊技球に対し上記メインテナンスを容易に施すことができる。また、可動部材は、発射レール上の遊技球を排出させるように発射レールの球発射基端部側の部位にてレール部を傾動可能に形成して構成するのみなので、当該構成を簡単にすることができる。  
【００３６】
なお、上記各手段の括弧内の符号は、後述する実施形態に記載の具体的手段との対応関係を示す。
【図面の簡単な説明】
【００３７】
【図１】本発明が適用されるパチンコ遊技機を島設備に配設してなる一実施形態を示す斜視図である。
【図２】図１の島設備から当該パチンコ遊技機を分離した状態にて示す分解斜視図である。
【図３】図１のパチンコ遊技機を示す斜視図である。
【図４】図３のパチンコ遊技機を、前扉を開いた状態に示す斜視図である。
【図５】図４のパチンコ遊技機の遊技機本体の下部を、発射レールのレール部の非傾動状態にて示す部分正面図である。
【図６】図４のパチンコ遊技機の遊技機本体の下部を、発射レールのレール部の傾動状態にて示す部分正面図である。
【図７】図４のパチンコ遊技機の遊技機本体の下部を、球発射装置を分離した状態にて示す斜視図である。
【図８】図７の球発射装置を後側から見た状態で示す斜視図である。
【図９】図７の球発射装置を前側から見た状態で示す斜視図である。
【図１０】図７の球発射装置を、発射レールのレール部の非傾動状態にて示す正面図である。
【図１１】図７の球発射装置を、発射レールのレール部の傾動状態にて示す正面図である。
【図１２】図７の球発射装置の背面図である。
【図１３】図７の傾動部材の傾動機構の分解斜視図である。
【図１４】図７の傾動部材の傾動機構を、傾動レバーの非傾動状態にて示す斜視図である。
【図１５】図７の傾動部材を、発射レールのレール部の非傾動状態にて示す断面図である。
【図１６】図７の傾動部材の傾動機構を、傾動レバーの傾動状態にて示す斜視図である。
【図１７】図７の傾動部材を、発射レールのレール部の傾動状態にて示す断面図である。
【図１８】図３のパチンコ遊技機の球発射装置、球送り装置及び球回収装置の正面図である。
【図１９】図３のパチンコ遊技機の球発射装置、球送り装置及び球回収装置を正側から見た斜視図である。
【図２０】図３のパチンコ遊技機の球発射装置、球送り装置及び球回収装置を後側から見た斜視図である。
【図２１】図３のパチンコ遊技機の球発射装置、球送り装置及び球回収装置の分解斜視図である。
【図２２】図３のパチンコ遊技機の球回収装置から球送り装置を介して球発射装置に向けて移動する遊技球の移動過程を説明するための分解斜視図である。
【図２３】図３のパチンコ遊技機の球回収装置から球送り装置を介して球発射装置に向けて移動する遊技球の移動過程を説明するための正面図である。
【図２４】図６のパチンコ遊技機の遊技機本体の下部を、発射レールのレール部の傾動状態にて示す斜視図である。
【発明を実施するための形態】
【００３８】
以下、本発明の一実施形態を図面により説明する。
【００３９】
図１及び図２は、本発明を適用してなるパチンコ遊技機Ｐの一実施形態が、複数台、ホール（図示しない）内の島設備１０に配設される例を示している。当該複数台のパチンコ遊技機Ｐは、それぞれ、図１〜図４のいずれかにて示すごとく、機枠Ｐｆと、遊技機本体Ｐｂと、前扉Ｆｄと、球処理装置Ｐｓとにより構成されている。
【００４０】
なお、図３において、図示左側斜め後方及び図示右側斜め前方は、当該パチンコ遊技機Ｐの左方及び右方に対応し、図示左側斜め前方及び図示右側斜め後方は、当該パチンコ遊技機Ｐの前方及び後方に対応し、図示上下方向は、当該パチンコ遊技機Ｐの上下方向に対応する。
【００４１】
島設備１０は、図１或いは図２にて示すごとく、上記ホールの床面に立設してなる基台１１と、上下両側バー１２、１３と、複数の支持柱１４とにより構成されている。基台１１は、上記ホール内にて左右方向に延在するように、当該ホールの床面上に立設されている。
【００４２】
上下両側バー１２、１３は、複数の支持柱１４とともに、基台１１上に組み付けられており、上側バー１２は、下側バー１３の直上にて複数の支持柱１４を介して当該下側バー１３に平行に位置するように支持されている。
【００４３】
ここで、下側バー１３は、基台１１の上面に沿い固着されている。複数の支持柱１４は、下側バー１３の長手方向に沿い互いに所定間隔をおくように下側バー１３上に立設されて、上方へ延出している。上側バー１２は、複数の支持柱１４によりその各延出端部上に支持されている。
【００４４】
これにより、上下両側バー１２、１３は、複数の支持柱１４のうち各両隣接支持柱１４の間において、当該各両隣接支持柱１４とともに、各パチンコ遊技機Ｐを収容する各収容空間部１５を形成している（図２参照）。
【００４５】
複数のパチンコ遊技機Ｐは、それぞれ、図１にて例示するごとく、島設備１０の各収容空間部１５内に収容されている。
【００４６】
当該複数のパチンコ遊技機Ｐは、共に、同一の構成を有するから、当該複数のパチンコ遊技機Ｐのうちの１台のパチンコ遊技機Ｐ（以下、パチンコ遊技機Ｐｅｘという）を例にとり、その構成について説明する。
【００４７】
パチンコ遊技機Ｐｅｘは、島設備１０の各収容空間部１５（図２参照）のうちの対応収容空間部１５内に収容されており、当該パチンコ遊技機Ｐｅｘは、複数のパチンコ遊技機Ｐの１台であることから、上述と同様に、機枠Ｐｆと、遊技機本体Ｐｂと、前扉Ｆｄと、球処理装置Ｐｓとにより構成されている。
【００４８】
このパチンコ遊技機Ｐｅｘにおいて、機枠Ｐｆ、遊技機本体Ｐｂ及び前扉Ｆｄは、球処理装置Ｐｓを嵌装するための共通切り欠き部Ｎ（図２参照）を形成してなるもので、この共通切り欠き部Ｎは、機枠Ｐｆ及び遊技機本体Ｐｂの各対応左縁下部を、その左側から右方へコ字状に切り欠き、かつ前扉Ｆｄの対応左縁下部をＬ字状（図４参照）に切り欠くことで形成されている。
【００４９】
機枠Ｐｆは、島設備１０の上記対応収容空間部１５内に着脱可能に嵌着されている。遊技機本体Ｐｂは、図４にて示すごとく、本体枠２０と、この本体枠２０にその前面側から嵌装してなる遊技盤３０とにより構成されており、本体枠２０は、その左縁部にて、機枠Ｐｆの左縁部に前後方向へ回動可能に支持されている。
【００５０】
また、遊技機本体Ｐｂは、図４にて示すごとく、案内レール４０及び球発射装置５０を有しており、案内レール４０は、図４にて示すごとく、遊技盤３０の盤面に沿い設けられている。当該案内レール４０は、内側レール部４１及び外側レール部４２を有しており、これら内側レール部４１及び外側レール部４２は、遊技盤３０の盤面の外周部に沿い円弧状に組み付けられて、その内周側において、遊技盤３０の盤面上に遊技領域３１を形成している。
【００５１】
また、内側レール部４１は、外側レール部４２の内周側に位置しており、当該内側レール部４１の左側部位と外側レール部４２の左側部位との間には、案内通路４３が、球発射装置５０（後述する）により発射レール５０ｂ（図７参照）に沿い発射される遊技球を遊技領域３１内に案内するように形成されている。
【００５２】
球発射装置５０は、図４〜図７のいずれかにて示すごとく、本体枠２０のうち遊技盤３０の中央直下に対する対応部位に形成した開口部２１（図７参照）に、その前面側から組み付けられており、この球発射装置５０は、発射装置本体５０ａと、発射レール５０ｂとによって構成されている（図７参照）。
【００５３】
発射装置本体５０ａは、図７にて示すごとく、基板５１を有しており、この基板５１は、その外周部にて、本体枠２０の開口部２１の外周部にその前面側から装着されている。
【００５４】
また、当該発射装置本体５０ａは、図７、図８或いは図１０にて示すごとく、ケーシング部材５２、ロータリーソレノイド５３、長手状の槌５４及びステップモータＭを有している。
【００５５】
ケーシング部材５２は、基板５１の前面に沿い取り付けられており、このケーシング部材５２は、基板５１及びロータリーソレノイド５３とともに、槌５４を収容するケーシングを構成している。
【００５６】
ここで、ロータリーソレノイド５３は、ケーシング部材５２を介し基板５１に対向するように、ケーシング部材５２に支持されている。また、槌５４は、上記ケーシング内に収容されて、その基端部５４ａにて、回動軸５３ａに回動可能に支持されており、当該槌５４は、その基端部５４ａから、ロータリーソレノイド５３の径方向に沿い外方に向け延出している（図１０参照）。
【００５７】
しかして、当該ロータリーソレノイド５３は、操作ハンドルＨの回動操作に伴い、ステップモータＭを介し動作状態におかれて、槌５４を、その後退回動位置から発射レール５０ｂに向け傾動させ、上記ケーシングの開口部を介し、槌５４の槌部５４ｂ（図１０参照）をその打撃回動位置にて発射レール５０ｂの球発射基端部５５ａに対向させる。なお、上記ケーシングの開口部は、発射レール５０ｂの後述する球発射基端部５５ａ（図７参照）に対向するように形成されている。
【００５８】
これにより、槌５４は、その槌部５４ｂにて、発射レール５０ｂの球発射基端部５５ａに後述のように送られる遊技球を打って、発射レール５０ｂに沿い発射させる。これに伴い、このように発射された遊技球は、案内レール４０の案内通路４３に沿い内側レール部４１及び外側レール部４２により遊技領域３１内に向け案内される。
【００５９】
ステップモータＭは、基板５１の後面に対し、回動軸５３ａと同軸的に位置するように組み付けられている。しかして、当該ステップモータＭは、操作ハンドルＨの回動操作に伴い作動して、槌５４をその後退回動位置と打撃回動位置との間において繰り返し回動させる。
【００６０】
発射レール５０ｂは、支持壁５１ａにその下縁部から前方へ延出するように支持されている。
【００６１】
ここで、支持壁５１ａは、上記ケーシングの上記開口部から案内レール４０の案内通路４３に向けて基板５１の前面に沿い左側上方へ傾斜状に延出されている。これに伴い、発射レール５０ｂは、支持壁５１ａの下縁部に沿い上記ケーシングの上記開口部から案内レール４０の案内通路４３に向けて左側上方へ傾斜状に延出されている。
【００６２】
また、当該発射レール５０ｂは、両レール部５５、５６でもって、２分割構成されている。レール部５５は、後述する傾動機構５０ｃの一構成部材としての役割を果たすもので、このレール部５５は、その球発射基端部５５ａにて、上記ケーシングの上記開口部に対向するように位置して、支持壁５１ａの下縁部に沿い案内レール４０の案内通路４３に向けて左側上方へ傾斜状に延出されている。
【００６３】
レール部５６は、その基端部にて、レール部５５の延出端部に対向するように位置して、支持壁５１ａの下縁部に沿い案内レール４０の案内通路４３に向けて左側上方へ傾斜状に延出されている。
【００６４】
このような構成によれば、当該発射レール５０ｂは、その球発射基端部５５ａにて、槌５４の槌部５４ｂに対向し得るように、上記ケーシングの上記開口部から案内レール４０の案内通路４３に向けて基板５１の下縁部に沿い左側上方へ傾斜状に延出されている。
【００６５】
しかして、当該発射レール５０ｂの球発射基端部５５ａに位置する遊技球が槌５４の槌部５４ｂにより打たれたとき、当該遊技球は、発射レール５０ｂの両レール部５５、５６に沿い案内レール４０の案内通路４３に向けて発射される。
【００６６】
但し、本実施形態では、カバー壁５７が、図７にて示すごとく、発射レール５０ｂに対し並行に対向するように、支持壁５１ａの上縁部から前方へ延出されており、当該カバー壁５７は、上記ケーシングの上記開口部から案内レール４０の案内通路４３に向けて支持壁５１ａの上縁部に沿い左側上方へ傾斜状に延出されている。
【００６７】
ここで、当該カバー壁５７は、図７にて示すごとく、基端側壁部位５７ａ（上記ケーシングの上記開口部側の壁部位）及び延出端側壁部位５７ｂでもって構成されている。基端側壁部位５７ａは、発射レール５０ｂのレール部５５に対向するように、上記ケーシングの上記開口部側から延出端側壁部位５９ｂ側にかけて上方へ傾斜状に支持壁５１ａの上縁部に沿い延出されている。
【００６８】
このことは、基端側壁部位５７ａは、延出端側壁部位５７ｂ側から上記ケーシングの上記開口部側にかけて、レール部５５との間隔を順次幅狭にすることを意味する。本実施形態では、基端側壁部位５７ａとレール部５５との間隔は、上記ケーシングの上記開口部側にて遊技球の外径よりも幾分狭く、延出端側壁部位５７ｂ側にて、遊技球の外径よりも幾分広くなっている。
【００６９】
従って、遊技球がレール部５５の球発射基端部５５ａに位置するとき、当該遊技球は、レール部５５と基端側壁部位５７ａとの間から上記ケーシングの上記開口部側へ落下することなく、レール部５５と基端側壁部位５７ａとの間に保持され得る。このことは、カバー壁５７は、基端側壁部位５７ａにて、レール部５５と共に、その球発射基端部５５ａに位置する遊技球に対するストッパとしての役割を果たすことを意味する。なお、延出端側壁部位５７ｂとレール部５６との間隔は、遊技球の外径よりも幾分大きい。
【００７０】
また、当該球発射装置５０は、図５〜図１１のいずれかにて示すように、傾動機構５０ｃを有している。この傾動機構５０ｃは、図１２〜図１７のいずれかにて示すごとく、傾動部材５８と、操作機構５９とを備えている。
【００７１】
傾動部材５８は、上述したレール部５５と、前後両側板５８ａ、５８ｂとにより構成されている。ここで、レール部５５は、Ｍレールとも称され、図１５にて例示するごとく、横断面Ｖ字状壁部５５ｂの幅方向前後両縁部から前後両短脚壁部５５ｃを当該Ｖ字状壁部５５ｂの頂部側へ互いに平行に延出させるようにして、図示上側からみて横断面逆Ｍ字状に構成されており、当該レール部５５は、横断面Ｖ字状壁部５５ｂにて、カバー壁５７に対向可能となっている。
【００７２】
前後両側板５８ａ、５８ｂは、レール部５５の前後両短脚壁部５５ｃからその延出方向とは反対方向へ互いに平行に延出されており、当該前後両側板５８ａ、５８ｂは、その各中央部にて、支持軸５８ｃにより、支持壁５１ａに回動可能に支持されている。なお、支持軸５８ｃは、支持壁５１ａから前方へ延出している。
【００７３】
操作機構５９は、図１２〜図１７のいずれかにて示すごとく、傾動レバー５９ａを有しており、この傾動レバー５９ａは、ピン５９ｂ、捩りばね５９ｃ及び基板５１の開口部５１ｃを介し、支持壁５１ａの両ステイ５１ｂに前後方向に傾動可能に支持されている。
【００７４】
ここで、開口部５１ｃは、図１２或いは図１３にて示すごとく、基板５１の左側上下方向中央部（図１２にて図示右側上下方向中央部）において、斜め左下側から斜め右上側に向けて略矩形穴状に開口形成されている。両ステイ５１ｂは、支持壁５１ａから開口部５１ｃを通りその左斜め上側内縁部に沿い互いに間隔をおいて後方へ延出している。また、ピン５９ｂは、その軸方向両端部にて、両ステイ５１ｂの延出端部に形成した支持孔部に同軸的にかつ回動可能に支持されている。
【００７５】
傾動レバー５９ａは、その回動基端部にて、補助レバーＬ（図１４参照）と共に、両ステイ５１ｂの間において、ピン５９ｂの軸方向中間部位に同軸的にかつ相対回動不能に嵌着されており、当該傾動レバー５９ａは、補助レバーＬと共に、その回動基端部からピン５９ｂの径方向に延出している。なお、補助レバーＬは、捩りばね５９ｃと傾動レバー５９ａとの間にてピン５９ｂの軸方向中間部位に上述のように嵌着されている。
【００７６】
また、捩りばね５９ｃは、そのコイル部でもって、両ステイ５１ｂの一方の支持孔部と傾動レバー５９ａの回動基端部との間において、ピン５９ｂに相対回動可能に嵌装支持されている。ここで、この捩りばね５９ｃは、その一端部にて、支持壁５１ａの後面に係止しており、当該捩りばね５９ｃの他端部は、傾動レバー５９ａの長手方向中間部位（ピン５９ｂよりも傾動レバー５９ａの延出端側に対応）にその幅方向前側から係止している。これにより、当該捩りばね５９ｃは、ピン５９ｂを基準に傾動レバー５９ａを支持壁５１ａの後方へ傾動するように付勢している。
【００７７】
また、操作機構５９は、図１３にて示すごとく、係合ピン部材５９ｄ及び操作ピン５９ｅを備えている。係合ピン部材５９ｄは、楕円リング部５９ｆと、ピン部５９ｇとを有しており、楕円リング部５９ｆは、傾動レバー５９ａの延出端部から基板５１の開口部５１ｃに向けて突出する突起５９ｈに相対回動可能に嵌装されている。ピン部５９ｇは、楕円リング部５９ｆの外周面部から突起５９ｈと同一方向に延出されて、基板５１の開口部５１ｃを介し、支持壁５１ａに形成した貫通孔部５１ｄ（図１３参照）を通り、傾動部材５８の後側板５８ｂに形成した係合孔部５８ｄ（図１５参照）に挿通可能となっている。
【００７８】
また、操作ピン５９ｅは、頭部５９ｉと、この頭部５９ｉの頚部から同軸的に延出するピン部５９ｊとのより構成されており、当該操作ピン５９ｅは、ピン部５９ｊにて、基板５１の開口部５１ｃを通り、支持壁５１ａに形成した挿入孔部５１ｅ（図１３参照）に同軸的に移動可能に挿入されて、頭部５９ｉにて、支持壁５１ａの挿入孔部５１ｅに後方から着座可能になるとともに、補助レバーＬの長手方向中間部位にその前方から当接可能となっている。
【００７９】
このように構成した傾動機構５０ｃにおいて、傾動部材５８のレール部５５が、図７にて示すごとく、レール部５６とともに一列に並んだ状態（以下、レール部５５の非傾動位置ともいう）にあるとき、傾動機構５０ｃは、図１４及び図１５にて示す位置にある。
【００８０】
このような状態において、当該傾動機構５０ｃにおいて、傾動機構５９の傾動レバー５９ａは、図１４或いは図１５にて示すごとく、捩りばね５９ｃに抗してピン５９ｂを基準に支持壁５１ａに向けて傾動した状態にある。これに伴い、操作ピン５９ｅは、補助レバーＬにより支持壁５１ａの挿入孔部５１ｅ内に押動されて当該挿入孔部５１ｅから前方へ突出するとともに、係合ピン部材５９ｄが、傾動レバー５９ａの突起５９ｈにより押動されて、ピン部５９ｇにて、支持壁５１ａの貫通孔部５１ｄを通り傾動部材５８の後側板５８ｂの係合孔部５８ｄ内に係合している。このことは、傾動部材５８が、係合ピン部材５９ｄにより傾動不能に保持されて、レール部５５を上記非傾動位置に傾動不能にしっかりと維持することを意味する。
【００８１】
然る後、操作ピン５９ｅを後方へ押動操作すると、補助レバーＬが、操作ピン５９ｅにより後方へ押動されて、捩りばね５９ｃの付勢力のもと、傾動レバー５９ａと共に、ピン５９ｂを基準に後方へ傾動する（図１６参照）。これに伴い、係合ピン部材５９ｄが、そのピン部５９ｇにて、傾動部材５８の後側板５８ｂの係合孔部５８ｄから後方へ脱出する（図１７参照）。このことは、傾動部材５８が、その後側板５８ｂにて、係合ピン部材５９ｄとの係合から解放されて、支持軸５８ｃを軸として、傾動可能になることを意味する。
【００８２】
従って、このような状態において、傾動部材５８を図５にて図示反時計方向に傾動させれば、レール部５５は、図６或いは図１７にて示すごとく、所定の傾動位置に向けて傾動する。このことは、レール部５５が、基板５１及び支持壁５１ａに共通に形成した球導入孔部５１ｆ（図１１参照）を通り導入される遊技球を、Ｖ字状壁部５５ｂに沿い、レール部５６の下端部との間から遊技球を落下させる状態にあることを意味する。なお、導入孔部５１ｆは、基板５１及び支持壁５１ａのうちレール部５６の下端部に対する共通対応部位に形成されている。
【００８３】
また、遊技機本体Ｐｂは、図７及び図１８〜図２１のいずれかにて示すごとく、球回収装置６０及び球送り装置７０を備えている。
【００８４】
球回収装置６０は、遊技盤３０の直下にて遊技機本体Ｐｂに支持されており、当該球回収装置６０は、球貯留体６０ａと、ファウル球案内部材６０ｂとにより構成されている。球貯留体６０ａは、図２１にて示すごとく、前側部材６１及び後側部材６２でもって構成されている。
【００８５】
前側部材６１は、長手状凹部６１ａと、循環通路部６１ｂとを備えており、長手状凹部６１ａは、その上方及び後方に開口している。循環通路部６１ｂは、その基端開口部６１ｃにて、長手状凹部６１ａ内に開口するように、当該長手状凹部６１ａの長手方向底壁中央部に一体的に形成してなるもので、当該循環通路部６１ｂは、その基端開口部６１ｃから左側下方へ斜め湾曲状に延出している。また、当該循環通路部６１ｂは、その延出開口端部６１ｄにて、球送り装置７０に向けて対向している。
【００８６】
後側部材６２は、長手状上壁部６２ａと、長手状下壁部６２ｂとを備えており、長手状上壁部６２ａは、前側部材６１の長手状凹部６１ａにその後方から当接して、上方へのみ開口する凹状貯留部Ｓを構成する（図１８或いは図１９参照）。なお、長手状下壁部６２ｂは、長手状上壁部６２ａの下縁中央部から下方へ延出している。
【００８７】
このように構成した球貯留体６０ａは、遊技盤３０の盤面に沿い転動してアウト口３１ａ（図５参照）或いは各種の盤面部品（後述する）に進入した遊技球を、凹状貯留部Ｓ内に回収して貯留し、循環通路部６１ｂ内にその基端開口部６１ｃから供給して延出開口端部６１ｄから球送り装置７０に向けて案内する。なお、アウト口３１ａは、遊技盤３０の下縁中央部にて案内レール４０の内側レール部４１の下端部直上に開口形成されている。これにより、遊技盤３０の盤面に沿い盤面部品のいずれにも入ることなく落下する遊技球が、アウト口３１ａに進入して球回収装置６０の球貯留体６０ａ内に落下して貯留される。
【００８８】
ファウル球案内部材６０ｂは、球発射装置５０によりその発射レール５０ｂに沿い案内レール４０の案内通路４３内に発射された各遊技球のうち、遊技領域３１内に達することなくそのまま案内通路４３を逆戻りする遊技球を、連通路（図示しない）を通して開口部６３内に受領し、この受領遊技球を、連通路６４を通して、球貯留体６０ａの循環通路部６１ｂ内にその通路方向中間部位から供給する。なお、ファウル球案内部材６０ｂは、連通路６４を介し、循環通路部６１ｂにより、図１９にて図示位置に支持されている。
【００８９】
球送り装置７０は、球回収装置６０の循環通路部６１ｂと球発射装置５０との間に位置するように遊技盤本体Ｐｂの適所に取り付けられており、当該球送り装置７０は、その球導入口部（図示しない）にて、球回収装置６０の循環通路部６１ｂの延出開口端部６１ｄに連結されて、当該延出開口端部６１ｄ内に開口している。また、当該球送り装置７０は、球送り穴部７１（図２１参照）にて、球発射装置５０の導入孔部５１ｆに連結されて、当該導入孔部５１ｆ内に開口している。
【００９０】
しかして、当該球送り装置７０は、球回収装置６０の循環通路部６１ｂからその延出開口端部６１ｄを通り遊技球を順次導入して、当該遊技球を、順次、１個ずつ、球発射装置５０の導入孔部５１ｆを通り発射レール５０ｂ上に送り出す。
【００９１】
また、遊技機本体Ｐｂは、多数の遊技釘、大入賞口装置や始動入賞口装置など遊技者に有利な遊技状態を与えるための入賞口装置、その他の各種の盤面部品（図示しない）を有しており、これら盤面部品は、遊技盤３０の盤面に設けられている。なお、上記多数の遊技釘は、遊技盤３０の盤面に遊技領域３１内にて分散して打ち込まれている。
【００９２】
前扉Ｆｄは、図１にて示すごとく、前枠Ｆｄａ、透明の窓ガラスＦｄｂ及び操作ハンドルＨを備えており、前枠Ｆｄａは、その左縁部にて、遊技機本体Ｐｂの左縁部を介し、機枠Ｐｆの左縁部に前後方向に回動可能に支持されている。
【００９３】
窓ガラスＦｄｂは、前枠Ｆｄａにその中空部に対応するように後面側から組み付けられており、当該窓ガラスＦｄｂは、その前側から遊技盤３０を透視可能となっている。ハンドルＨは、図３或いは図４にて示すごとく、前枠Ｆｄａの右下側隅角部にその前面側から回動操作可能に支持されている。
【００９４】
球処理装置Ｐｓは、パチンコ遊技機Ｐｅｘの共通切り欠き部Ｎ（図１〜図４のいずれか参照）内に、図３にて示すごとく、嵌装されており、当該球処理装置Ｐｓは、図１にて示すごとく、球払い出し部８０ａ、連結部８０ｂ及び記憶部８０ｃでもって構成されている。
【００９５】
しかして、当該球処理装置Ｐｓは、大入賞口装置や始動入賞口装置等の入賞口装置への遊技球の入賞に伴い所定数の遊技球を球払い出し部８０ａにより払い出して連結部８０ｂ及び記憶部８０ｃを介し球払い出し部８０ａに循環させるようになっている。なお、記憶部８０ｃは、遊技球の払い出し数を記憶して、プリペイドカードに書き込み可能となっている。
【００９６】
本実施形態では、当該球処理装置Ｐｓの前面は、球払い出し部８０ａにより排出した遊技球を受ける球受け部の前蓋に相当する。
【００９７】
ここで、当該球処理装置Ｐｓの前面である前蓋は、透明部材で構成されている。従って、遊技者にとって、賞品球が払出されたことが球処理装置Ｐｓの前蓋を通して視認可能である。
【００９８】
また、当該前蓋は開閉自在になっているので、遊技者は賞品球として払出された遊技球を自由に取り出すことが可能となっている。
【００９９】
また、球受け部である貯留部６１の下流には遊技者の持ち球として計数する球計数センサーが配置されている。このため、この球計数センサーが遊技球の通過を検出すると、当該球計数センサーは遊技者の持ち球として加算する。従って、上記前蓋を開放しこの球計数センサーを不正に操作して持ち球を増加させることがなされる恐れがある。従って、この前蓋を開放したときに球計数センサーへの遊技球の通過を阻止する構成、例えば、前蓋の開放に連動して球計数センサーの検出部に遊技球の通過を阻止するスライダーを突出させるように構成したり、また、新たに前蓋の開放を検出するセンサーを設け、前蓋の開放を検出したときに、球計数センサーの検出を制御的に無効にするように構成してもよい。
【０１００】
また、遊技者自身が遊技可能な遊技球数を確認可能でなければいけないが、本実施形態の構成では遊技盤の盤面から流下する遊技球を遊技機の内部側で再び発射装置の後方から発射レールに供給するという遊技球循環構成となっているので、遊技者が実際の遊技球を確認することが困難になる。その場合、発射球数や賞品球数など遊技可能球数を管理する制御基盤からの球数を表示する表示器を遊技機の前面側に設けてもよい。
【０１０１】
以上のように構成した本実施形態において、当該パチンコ遊技機Ｐｅｘが、遊技者による遊技可能状態にあるものとする。このような状態において、遊技者がハンドルＨを操作していなければ、球発射装置５０は、そのロータリーソレノイド５３（図７参照）の消磁のもとに、停止状態にある。
【０１０２】
また、当該球発射装置５０の傾動機構５０ｃは、図１４或いは図１５にて示す状態にあるものとする。即ち、当該傾動機構５０ｃにおいて、傾動部材５８のレール部５５が、図７にて示すごとく、非傾動位置にあることから、発射レール５０ｂにおいて、レール部５５が、レール部５６とともに一列に並んだ状態にある。
【０１０３】
このような状態では、傾動機構５９の傾動レバー５９ｅが、図１４或いは図１５にて示すごとく、捩りばね５９ｃに抗してピン５９ｂを基準に支持壁５１ａに向けて傾動した状態にあるから、操作ピン５９ｅは、補助レバーＬにより支持壁５１ａの挿入孔部５１ｅ内に押動されて当該挿入孔部５１ｅから前方へ突出するとともに、係合ピン部材５９ｄが、傾動レバー５９ａの突起５９ｈにより押動されて、ピン部５９ｇにて、支持壁５１ａの貫通孔部５１ｄを通り傾動部材５８の後側板５８ｂの係合孔部５８ｄ内に係合している。
【０１０４】
その結果、傾動部材５８が、係合ピン部材５９ｄにより傾動不能に保持されて、レール部５５を上記非傾動位置にしっかりと維持している。従って、遊技球がレール部５５上に送られても、当該遊技球が誤って排出されることはない。
【０１０５】
このような状態において、球送り装置７０から送られる遊技球が球導入孔部５１ｆを通して発射レール５０ｂのレール部５５の球発射基端部５５ａ上に位置するものとする。
【０１０６】
しかして、遊技者がハンドルＨを回動操作すると、球発射装置５０が、そのロータリーソレノイド５３にて、槌駆動回路（図示しない）により駆動されて、ハンドルＨの回動操作角度に応じて、上記槌を発射レール５０ｂのレール部５５の球発射基端部５５ａに向けて回動させる。
【０１０７】
すると、上述のようにレール部５５の球発射基端部５５ａ上に位置する遊技球が、槌５４の槌部５４ｂによって打たれて発射レール５０ｂのレール部５５及びレール部５６に沿い案内レール４０の案内通路４３に向けて発射される。以後、遊技球が球送り装置７０から球導入孔部５１ｆを通して発射レール５０ｂのレール部５５の球発射基端部５５ａ上に送られる毎に、当該遊技球が、上述と同様にして槌５４により発射レール５０ｂに沿い案内レール４０の案内通路４３に向けて発射される。
【０１０８】
以上のようにして繰り返し発射される各遊技球のうち、案内レール４０の案内通路４３に沿い内側レール部４１及び外側レール部４２により遊技領域３１内に向け案内される遊技球は、遊技盤３０の盤面に沿い各種の盤面部品のいずれかに向け或いはこの盤面部品からそれて転動していく。
【０１０９】
そして、上述のように各種の盤面部品のいずれかに向け転動していく遊技球が、例えば、大入賞口装置に入賞すると、当該遊技球は、球回収装置６０の凹状貯留部Ｓ内に落下して貯留された後循環通路部６１ｂ内にその基端開口部６１ｃから進入する（図２２及び図２３参照）。なお、上述のような入賞遊技球を検出することにより、球処理装置Ｐｓが、所定数の遊技球を球払い出し部８０ａにより払い出して連結部８０ｂ及び記憶部８０ｃを介し球払い出し部８０ａに循環させる。
【０１１０】
また、上述のように盤面部品からそれて転動していく遊技球がアウト口３１ａに進入すると、当該遊技球は、球回収装置６０の凹状貯留部Ｓ内に落下して貯留された後循環通路部６１ｂ内にその基端開口部６１ｃから進入する（図２２及び図２３参照）。
【０１１１】
また、上述のように繰り返し発射される各遊技球のうち案内通路４３に向けて発射されても、遊技領域３１内に達しない遊技球は、そのまま逆戻りして、ファウル球として、ファウル球案内部材６０ｂ内にその開口部６３から落下して受領される。そして、このように受領された遊技球は、案内部材６０ｂから連通路６４を通して循環通路部６１ｂ内にその通路方向中間部位から進入する（図２２及び図２３参照）。
【０１１２】
以上のようにして凹状貯留部Ｓ或いはファウル球案内部材６０ｂから循環通路部６１ｂ内に進入した遊技球は、図２２或いは図２３にて示すごとく、当該循環通路部６１ｂによりその延出開口端部６１ｄから球送り装置７０に向けて案内される。
【０１１３】
このように球送り装置７０に向け案内される遊技球毎に、当該遊技球は、球送り装置７０内にその球導入口部から進入して球送り穴部７１から基板５１及び支持壁５１ａに共通な球導入孔部５１ｆを通り発射レール５０ｂの球発射基端部５５ａ上に送られる。このことは、発射レール５０ｂから発射される遊技球毎に、当該遊技球は、発射レール５０ｂに戻るように循環することを意味する。
【０１１４】
すると、このように発射レール５０ｂの球発射基端部５５ａ上に送られる遊技球毎に、当該遊技球は、球発射装置５０によりその発射レール５０ｂの両レール部５５、５６に沿い案内レール４０の案内通路４３に向けて発射される。これに伴い、このようにして発射される遊技球毎に、当該遊技球は、上述と同様に、発射レール５０ｂに戻るように循環される。
【０１１５】
ところで、当該パチンコ遊技機Ｐｅｘによる遊技が繰り返しなされている間には、循環する各遊技球に汚れが生じる。このため、当該循環遊技球の各々を当該パチンコ遊技機Ｐｅｘから取り出して清掃する等のメインテナンスが必要となるメインテンス時期が期間をおいて繰り返し到来する。
【０１１６】
このようにメインテンス時期が到来したとき、まず、前扉Ｆｄを、図４にて示すごとく、遊技機本体Ｐｂから前方へ開く。これにより、遊技機本体Ｐｂの遊技盤３０が、その盤面にて、前方へ露出されることとなる。
【０１１７】
このとき、球発射装置５０の傾動機構５０ｃにおいて、レール部５５が、上述のごとく、非傾動位置に維持されている。そこで、操作ピン５９ｅを後方へ押動操作すると、補助レバーＬが、後方へ押動されて、捩りばね５９ｃの付勢力のもと、傾動レバー５９ａと共に、図１６にて示すごとく、ピン５９ｂを基準に後方へ傾動して、係合ピン部材５９ｄが、そのピン部５９ｇにて、図１７にて示すごとく、傾動部材５８の後側板５８ｂの係合孔部５８ｄから後方へ脱出する。
【０１１８】
これにより、傾動部材５８が、その後側板５８ｂにて、係合ピン部材５９ｄとの係合から解放されて、支持軸５８ｃを軸として、傾動可能になる。よって、このような状態において、傾動部材５８を図５にて図示反時計方向に傾動すると、レール部５５が、図６、図１７或いは図２４にて示すごとく、上記所定の傾動位置に向けて傾動する。その結果、球送り装置７０から球導入孔部５１ｆを通して発射レール５０ｂ上に送られる遊技球が、レール部５５のＶ字状壁部５５ｂに沿い、レール部５６の下端部との間から落下する。
【０１１９】
このことは、当該遊技球が、発射レール５０ｂの球発射基端部５５ａから前方へ排出されることを意味する。また、このような遊技球の排出は、球送り装置７０から送られる遊技球毎に行われる。
【０１２０】
従って、ドル箱Ｄｂを、図２４にて示すごとく、遊技盤３０の前側にて、傾動したレール部５５の直下に置いておけば、上述のように落下する各遊技球は、１個ずつ、ドル箱Ｄｂに収容される。このことは、上述のように落下する各遊技球が、遊技盤３０の前側にてドル箱Ｄｂ内に収容されることを意味する。
【０１２１】
これにより、このように各遊技球を収容したドル箱Ｄｂを、遊技盤３０の前側から容易に持ち出して、各収容遊技球に対し清掃或いは交換等によるメインテナンスを施すことができる。また、このようにメインテナンスを施した各遊技球は、再び、球回収装置６０に戻せばよい。
【０１２２】
ここで、球送り装置７０は、球発射装置５０にその後側に沿うように配設されている。従って、球送り装置７０から発射レール５０ｂ上に送られる遊技球を当該発射レール５０ｂ上にて早期に安定させることができる。その結果、上述のような遊技球に対するメインテナンスに加え、球発射装置５０による発射レール５０ｂに沿う遊技球の発射が良好になされ得る。
【０１２３】
また、本実施形態では、傾動部材５０ｃが、発射レール５０ｂの２分割構成の一部であるレール部５５を活用することで、構成されている。従って、このように発射レール５０ｂの一部を活用するのみ故、遊技球の排出構成を簡単にし得る。
【０１２４】
なお、本発明の実施にあたり、上記実施形態にて述べた傾動機構５０ｃは、前後方向に傾動するように構成してもよい。
【０１２５】
また、本発明の実施にあたり、傾動部材５０ｃの操作機構５９においては、上記実施形態とは異なり、操作ピン５９ｅを、手動操作ではなく、例えば、電磁ソレノイドを利用するアクチュエータにより駆動するようにしてもよい。
【０１２６】
また、本発明の実施にあたり、上記実施形態にて述べた遊技球を封入循環させるように構成してなるパチンコ遊技機に限ることなく、各種のパチンコ遊技機等の遊技機に本発明を適用してもよい。
【符号の説明】
【０１２７】
５０…球発射装置、５０ｂ…発射レール、５０ｃ…傾動部材、
５１ｄ…貫通孔部、５５…レール部、５５ａ…球発射基端部、
５９ａ…傾動レバー、５９ｃ…捩りばね、５９ｄ…係合ピン部材、
７０…球送り装置。
【図１】
0005921084.tif 000002
【図２】
0005921084.tif 000003
【図３】
0005921084.tif 000004
【図４】
0005921084.tif 000005
【図５】
0005921084.tif 000006
【図６】
0005921084.tif 000007
【図７】
0005921084.tif 000008
【図８】
0005921084.tif 000009
【図９】
0005921084.tif 000010
【図１０】
0005921084.tif 000011
【図１１】
0005921084.tif 000012
【図１２】
0005921084.tif 000013
【図１３】
0005921084.tif 000014
【図１４】
0005921084.tif 000015
【図１５】
0005921084.tif 000016
【図１６】
0005921084.tif 000017
【図１７】
0005921084.tif 000018
【図１８】
0005921084.tif 000019
【図１９】
0005921084.tif 000020
【図２０】
0005921084.tif 000021
【図２１】
0005921084.tif 000022
【図２２】
0005921084.tif 000023
【図２３】
0005921084.tif 000024
【図２４】
0005921084.tif 000025